(57)【特許請求の範囲】
【請求項１】
メッシュ無線ネットワーク上で第１局と第２局とを同期させる方法であって、
第１局と第２局との間の通信リンクを確立し、
第１局から第２局に、第１局の同期する能力を示す能力情報要素と第１局が前記メッシュ無線ネットワーク中の他の局との同期ピアリンクを確立したかを示すステータス情報要素とを含む同期要素を送信し、
第１局と第２局とのうちの一方の局によって、これら２つの局の他方の局へ、同期リクエストを送信し、
前記他方の局による同期の受諾を示す前記他方の局からの応答を受け取り、前記他方の局は、同期が当該他方の局によって現在サポートされている他の同期と競合しない場合に同期を受諾し、
前記同期リクエストが、同期パラメータを示す同期プロファイルを含み、
前記応答が、前記他方の局による前記同期プロファイルの受諾を表す、方法。
【請求項２】
第１局と第２局とのうちの前記一方の局によって送信された同期リクエストと競合する既存の同期のパラメータを前記他方の局によって変更すること試みる、請求項１に記載の方法。
【請求項３】
前記能力情報要素及び前記ステータス情報要素は１ビットワードである、請求項１に記載の方法。
【請求項４】
前記同期要素が複数の能力情報ビットを含む請求項１に記載の方法。
【請求項５】
第１局及び第２局が、それぞれの局が同期していることを示すために、それぞれのステータス情報要素を更新する、請求項１に記載の方法。
【請求項６】
第１局において第２局から、他局と同期するための第２局の能力を示す能力情報ビットと、第２局が前記メッシュ無線ネットワーク中の他局との同期ピアリンクを確立したかを示すステータス情報ビットとを含む他の同期情報要素を受け取る、請求項１に記載の方法。
【請求項７】
第１局において、第２局から受け取った前記同期情報要素の前記能力情報要素から、第２局が第１局と同期できるかを決定し、
第２局が第１局と同期できる場合に、第１局から前記リクエストを送信する、請求項６に記載の方法。
【請求項８】
前記能力情報要素は、メッシュビーコン及び第１局と第２局との間のピアリンク確立手続きの間に第１局と第２局との間で交換されるフレームのうちの一つに含まれる、請求項１に記載の方法。
【請求項９】
通信リンクを確立するステップと同期要素を送信するステップとが同時である、請求項１に記載の方法。
【請求項１０】
前記無線ネットワーク並びに第１局及び第２局が802.11s規格に基づく、請求項１に記載の方法。
【請求項１１】
メッシュ無線ネットワーク中の第１局であって、
第２局との通信リンクを確立するための送受信装置、
同期プロファイルを記憶し、第１局の他局と同期する能力を示す能力情報要素及び前記メッシュ無線ネットワークにおいて他局との同期ピアリンクを第１局が確立したかを示すステータス情報要素を含む同期要素を生成し、第２局に前記同期要素を送信するための同期プロファイル装置、
第２局へ同期リクエストを送信し、同期が第２局によって現在サポートされている他の同期と競合しない場合に当該同期を受諾する第２局による前記同期プロファイルの受諾を表す第２局からの応答に基づいて前記同期要素を変更するかを決定する同期装置を有し、
前記同期リクエストが、同期パラメータを示す同期プロファイルを含み、
前記応答が、前記第２局による前記同期プロファイルの受諾を表す、
する第１局。
【請求項１２】
請求項１に記載の方法を実行するためのコンピュータ実行可能命令を記憶するコンピュータプログラム。
【発明の詳細な説明】
【技術分野】
【０００１】
本発明は、無線ネットワーク上の２つの局を同期させるための方法に関する。本発明は特にメッシュ無線ネットワークに、特にIEEE 802.11s規格に基づくメッシュWLAN(無線ローカルエリアネットワーク)に関連する。
【背景技術】
【０００２】
IEEE802.11s標準化委員会グループは、そのような種類のネットワークのための802.11規格の拡張に現在取り組んでいる。現在のIEEE 802.11s規格仕様のバージョンD1.03（この文献を本明細書に参照として組み込む）は、自己構成マルチホップトポロジ上での個別にアドレス指定された配信とグループでアドレス指定された配信の両方をサポートするIEEE 802.11 MAC/PHYレイヤを用いたIEEE 802.11無線LAN(WLAN)メッシュを規定する。802.11s規格によるメッシュネットワーク、いわゆるメッシュは、数多くの個々の無線トランシーバ間の無線協調通信インフラストラクチャとして機能する。メッシュは、集中型又は分散型であることができる。メッシュ中の局即ちメッシュノード(MP)は、それらの付近の隣接ノードだけと通信して、したがって、近くのノードから到達するにはあまりに遠いピアまでメッセージデータを送信する中継器として作用する。802.11s規格に固有の用語が本発明を説明するために以下の段落において使用され、そして適用可能なときはいつでも、使用される用語は802.11s規格において定義されたように理解されなければならない。
【０００３】
定義によって、802.11s規格に基づくネットワークにおいて、メッシュポイントMPは、メッシュを通じて通信する。メッシュは、２つ以上のメッシュポイントを含む。メッシュポイントMPは、802.11s規格において定義されるメッシュサービスをサポートする、IEEE802.11に従うメディアアクセス制御及び無線媒体に対する物理レイヤインタフェースを含むIEEE802.11の構成要素である。
【０００４】
メッシュポイントは共通の時間基準を確立したときに同期し、それによって、データ転送のための無線媒体の効率的な予約、ビーコン送信及び高度なパワーセーブモードを可能にする。現在の802.11s仕様は、メッシュポイントが互いに同期することを望む場合の同期用のプロトコルを規定する。同期はメッシュ上では必須でないが、実行可能な場合、それはメッシュポイント間の通信を大いに改善する。802.11s D1.03は、３つのサブフィールド（Supporting Synchronizationサブフィールド、Synchronizing with peer MPサブフィールド及びSynchronizing with peer MPサブフィールド）を有する同期能力フィールド（synchronization capability field）(802.11s D1.03 7.3.2.53.5 Synchronization Capability fieldを参照)を定義する。MPがピアMPとのタイミング同期をサポートする場合、Supporting Synchronizationサブフィールドは1に設定され、さもなければ0に設定される。MPがそれと通信することを試みるMPピアにそれと同期することを要求する場合、Requests Synchronization from Peerサブフィールドは1に設定され、さもなくば0に設定される。非アクセスポイントMPが現在同期MPである場合、Synchronizing with peer MPサブフィールドは1に設定され、さもなければ0に設定される。メッシュサービスを通告するために802.11s 7.3.2.53において説明されるように、同期能力フィールドはメッシュ能力要素に含まれる。それは、MPによって送信されるビーコンフレーム中に含まれて、さらにプローブリクエスト/応答メッセージ及び(再)接続リクエスト/応答メッセージ中に含まれる。現在の同期手順において、同期は、メッシュプロパティとして処理されて、このメッシュプロパティのパラメータは、メッシュを開始するMPによって確立される（Section11A10.3.2参照）。
【発明の概要】
【発明が解決しようとする課題】
【０００５】
しかしながら、この手順は、さまざまな短所を持つ。第一に、メッシュを確立するMPが同期を開始しない可能性があり、そしてこれは決して変更されることができず、そしてメッシュは同期メッシュへと発展することができない。第二に、この手順は、２つ以上のMPが同時にメッシュを開始するときに何が起きるかに関して不明確である。第三に、この手順は、２つの同期メッシュが結合されることを必要とする場合に、何が発生するかについて不明確である。
【課題を解決するための手段】
【０００６】
本発明の目的は、メッシュにおける単純な同期手順を提案することである。
【０００７】
本発明の他の目的は、現在の802.11s同期手順において定義されるようなメッシュ的な同期の欠点を克服することである。
【０００８】
この目的のために、本発明は、メッシュ無線ネットワーク上での第１局と第２局との間の同期方法に関する。２つの局は最初に、それらの間の通信リンクを確立する。本発明によれば、第１局は第２局に、他の局と同期するための第１局の能力を示す能力情報ビット及び第２局が属するメッシュ中の他の局との同期ピアリンクを第１局が確立したかどうかを示すステータス情報ビットを含む同期要素を送信する。２つの局のうちの一方の局はさらに、他の局に同期のリクエストを送信し、第２局による同期手続きの受諾を表わす応答を受信する。それが他の現在の同期と競合しない場合、他の局は同期に応じることを強制される。
【０００９】
任意の同期手続きの前に、２つの局の間でリンクが確立されなければならない。ピアリンクの確立の間に、局はそれらのそれぞれの属性を互いに通告することができる。ピアリンクの確立は多くの場合、無線ネットワーク上で使用中の通信規格に依存し、ここでは詳細は示さない。同期及びピアリンクの確立は切り離されることができるが、両方のステップは容易に結合されることができ、２つの局の間のハンドシェイク交換で並列に実行されることができる。本発明の同期方法は、所与のメッシュポイントの同期ステータスを伝達するために２ビットを使用する。この２ビットのステータスは、所与のメッシュポイントに固有であり、メッシュ全体の一般的な同期を示さないが、メッシュに存在する全てのメッシュポイントの２ビットのステータスから、メッシュが完全に同期しているか、同期していないか又は部分的に同期しているかを推測することができる。メッシュは一般に同期が可能でないメッシュポイントを含む場合があり、そのようなメッシュは良くても部分的に同期するだけである。さらにメッシュは、共存する異なる同期プロファイルを持つ場合がある。
【００１０】
能力情報ビットは、それに関連したメッシュポイントがピアメッシュポイントとのタイミング同期をサポートするかどうかを示すという点で、802.11s D1.03のSupporting Synchronizationビットに相当する。
【００１１】
例示的な実施の形態において、ステータス情報ビットは、局が同期する場合に1に設定され、局がメッシュ中のそのピア局と同期しない場合に0に設定される。ステータス情報ビットはさらに、完了していない同期プロセスを第１局が現在実行している場合に0に設定されることができる。ステータス1は、第１局がメッシュ中のそのピア局と、又は少なくともステータス情報ビット1を同様に示す局と同期することを示す。しかしながら、1に設定されたステータス情報ビットが必ずしも、第１局が第２局と同期することを示すというわけではない。実際、例えば、第１及び第２局は、共通のクロックなしで独立に同期する異なるメッシュに属する可能性がある。このような場合、ステータス1は単に、第１局が、それが属するメッシュ中のピアメッシュポイントと同期するが、他のメッシュ中の第２局を含むメッシュポイントとは同期しないことを示す。
【００１２】
本発明は、以下の場合のシナリオに適用される。
【００１３】
第一に、第１及び第２局は同じメッシュに属し、そしてこの２つの局のうちの一方は最近メッシュに参加した。メッシュは既に同期していた。本発明は、新たな局(第１又は第２局)がメッシュの同期パラメータを採用するために従う手続きを提供する。例示的な実施の形態において、第１局が既存のメッシュに参加して、同期をリクエストする。他の例示的な実施の形態において、第２局がメッシュに参加し、そしてメッシュに存在する第１局がネットワークに参加した第２局にリクエストを送信する。
【００１４】
次に、他のシナリオにおいて、第１及び第２局は、２つの異なるメッシュに属し、互いに同期することを試みる。この状況は、２つのメッシュが結合するときに発生する。以下で説明されるように、一旦局がペアで同期すると、同期プロトコルは、いずれかのメッシュ中のまだ同期していない他のピアメッシュポイントに伝播されることができる。
【００１５】
本発明はさらに、２つの同期プロトコルがメッシュ中に共存する第３の状況に適用される。各々が自身の同期パラメータのセットを持つ第１及び第２局は、最終的にメッシュ中に唯一つの同期プロファイルを持つことを目的にして同期することを試みる。
【００１６】
発明者は、802.11s D1.03規格の既存の同期プロトコルの単純化が大いに必要であることを認識し、そして、初めのうちは限られた数のメッシュポイント又はメッシュポイントMPのペアに同期を限定することを可能にする同期手続きを考え出した。一つ以上の実施の形態の更なる利点は、本発明が、最良の状態で、メッシュ上で情報及び制御データを有機的に伝播する能力を使用することである。実際、メッシュポイントMPは、メッシュ全体上で同期パラメータを伝達する中継器として作用する。
【００１７】
当業者が以下の図面の説明をよりいっそう理解できるように、上記はかなり大まかに本発明の特徴及び技術上の利点を概説した。本発明と同じ目的を実行するための他の構造へと改良又は設計するための基礎として、開示される概念及び固有の実施の形態を容易に使用することができることが認識されるべきである。
【００１８】
本発明及びその利点の更なる完全な理解のために、添付の図面と共に考慮される以下の説明が参照される。同様の番号は同様の対象を示す。
【図面の簡単な説明】
【００１９】
【図１】本発明によるメッシュ。
【図２】２つのメッシュポイント間の同期のためのハンドシェイクダイアグラム。
【図３】本発明によるメッシュ中の２つの局の間の同期を説明するためのメッシュを示す図。
【図４】各々のメッシュのメッシュポイントの間で同期が発生する２つのメッシュを示す図。
【発明を実施するための形態】
【００２０】
図1は、802.11s D1.03規格に基づくメッシュ100を示す。メッシュ100は、メッシュポイント(MP)110-170を含む。この実施例において、メッシュ100は分散化され、すなわち中央コントローラが存在せず、MP 110-170はマルチホップ技術を用いて通信し、MP 110-170は、リンクを確立した近くのMPとのみ通信することができる。２つの局は、それらがリンク確立手続きを正常に実行した場合に、リンクを確立する。例えば、802.11s D1.03は、セクション11A.1にリンク確立手続きを記載する。リンク確立手続きと同期手続きは、実装に応じて、時間的に切り離されることができ、又は同時に実行されることができる。
【００２１】
図1は、MP 110-170間のリンクセットアップを示す。例えば、MP120はMP130, 140及び110とのみ直接通信することができ、そしてMP120はさらに、MP110又はMP140を介して間接的にMP150と通信することができる。
【００２２】
メッシュ100上でのデータ転送及び制御を容易にするために、メッシュ100は同期することができる。２つのMPは、これらのMPが一セットの時間パラメータの値を共有して、これらのパラメータを維持する手続きについて同意した場合に、同期リンクを確立する。これらのパラメータは、例えば、メッシュ時間、メッシュスーパーフレームの開始時間、次のスーパーフレームの開始及び/又はメッシュスーパーフレームの継続時間である。本発明において、以前の802.11s D1.03規格に反して、同期は、メッシュ的なプロパティではなく、MPペアのレベルで処理される。このアプローチの利点は、同期手続き全体がより柔軟になることである。したがって同期は、２つのMP間の通信又はいわゆるピアリンクに特有である。その結果として、メッシュ100は、全てのMP110-170が同じ同期パラメータを共有して完全に同期するか、部分的に同期する（すなわち選択されたMP110-170だけが同じ同期プロファイルを共有する）か、又は全く同期しない。特定のMPは、それでも、現在オープンである他のリンクに関連する他のプロファイルと競合するリンクに同期プロファイルを関連づけない。提案されたプロトコルはさらに、所与の同期プロファイルがどのようにメッシュを通して伝播されることができるかについて定める。伝播は必須ではなく、これは実装者の選択に任される。
【００２３】
例示的な実施の形態において、メッシュ100は、個々のMP110-170が２セットの同期プロファイル（空のプロファイル（したがって非同期）及び同期プロファイル）を保持することを可能にする。２つ以上のプロファイルが特定のMPに存在するプロトコルを工夫することができる。そのような実装は記載されないが、以下の説明から容易に工夫されることができる。
【００２４】
セットアップの間、MP110-170は、お互いの同期能力を知ることができる。各々のMPが２つの同期プロファイルだけを保持すると仮定して、MPは、1ビットの同期能力要素によってそれらの同期能力を通告することができる。それぞれのMPが同期をサポートすることができる場合、この同期能力要素は1に設定され、さもなければ0に設定される。同期能力要素は、全てのMPが送信するメッシュビーコン中に、又は、ピアリンク確立手続きの間に交換される制御及び/若しくはデータフレーム中に含まれることができる。MPが更なる同期プロファイルをサポートすることができる場合、同期要素は、どのプロファイルがサポートされるかを示すいくつかのビットを含むことができる。プロファイルが記憶されたルックアップテーブルが全てのMPにおいて利用可能であり、そしてMPは、サポートされたプロファイルを示すためにテーブル中のエントリを参照する。
【００２５】
本発明において、第２の更なる要素、すなわちステータス情報要素が導入され、それを送信するMPが他のMPとの同期リンクをすでに確立したかどうかを知らせる。
【００２６】
図2は、同期のためのMP1とMP2との間の通信ハンドシェイクを示す。互いに同期することを試みる前に、MP1及びMP2は、802.11s D1.03規格で定義される手続きに従ってピアリンクを確立している。この手続きの間、MP1及びMP2の上述の空の同期プロファイルがデフォルトで関連づけられ、最初はリンクが同期していないことを示す。本発明の実施の形態において、２つのMP間の任意のリンクに関連づけられるプロファイルはただ一つである。提案された手続きによって、MPはこのプロファイルに同意しなければならない。さらに、プロファイルは、他のすでに存在するプロファイルと競合してはならない。したがって、最初はデフォルトで空のプロファイルがリンクに関連づけられ、そしてMP1及びMP2はこのことを知る。これは、空のプロファイルが任意の他のプロファイルに調和するので、存在する可能性がある任意の他のプロファイルと競合しない。
【００２７】
この実施例において、MP1は、MP1とMP2との間の既存の非同期リンクを同期リンクへと変更することを試みる。そうするために、MP1は、ピアMP2にリクエスト同期メッセージ210を送信する。メッセージ210は、それぞれMP1の同期能力及び同期ステータスを表わす同期能力要素及びステータス情報要素(つまりビット"11")を含むことができる。
【００２８】
メッセージ210は、MP1とMP2との間のリンクに関連づけられるプロファイルとしてMP1が提案する同期プロファイルをさらに含むことができる。提案される同期プロファイルは、他のピアMPとのその通信においてMP1によって現在サポートされていることができる。あるいは、メッセージ210はプロファイルを含まず、MP1はプロファイルの提案をMP2にまかせる。
【００２９】
原則としてMP1は、MP2が同期をサポートする場合にのみ、MP1とMP2との間のピアリンクを同期させることを試みることに留意すべきである。MP1は、MP2がリンク確立の間に本発明の２つの１ビット要素を使用してその能力及びステータスを前もって通知することによって、MP2の能力を知ることができる。しかしながら、同期する能力が無いにもかかわらず前述の種類の同期リクエストメッセージを受信したMPは、リクエストを単に無視するか又は拒否することができる。
【００３０】
図2の実施例において、MP2は、他のピアMPと同期することが可能であり、したがって同期応答メッセージ220によってメッセージ210に反応する。メッセージ220は、受諾、拒否又はプロファイル変更の提案を伴う拒否を含むことができる。メッセージ220はさらに、MP1が最初にプロファイルの提案を提示しなかった場合に、同期プロファイルのためのパラメータを含むことができる。MP2がMP1から受信される同期パラメータを受諾する場合、MP1とMP2との間のピアリンクはこの時点から同期する。さらに同期は、メッシュ上の適切な通信プロトコルに応じて、応答メッセージ220が送信されたことが確認されると、又はメッセージ220の送信後の一定期間の後で、確立されることができる。次にMP1及びMP2は、現在の同期ステータスを反映するようにそれぞれのステータス情報ビットを更新する。
【００３１】
メッセージ220が完全な拒否を含むか又はMP2がリクエスト210を無視してメッセージ220を送信しない場合、MP1とMP2との間のピアリンクは非同期のままである。MP1及びMP2が互換性のない同期パラメータをサポートする異なるメッシュに属する場合、又はMP2がMP1のメッシュに加わったばかりであり同期することができない場合に、そのような状況が発生する可能性がある。
【００３２】
メッセージ220が変更された同期パラメータを伴う拒否を含む状況では、MP1はさらに同期応答230においてそれを受け入れるか又は拒否することができる。同様に、MP1が最初に同期パラメータを提示しなかった場合、メッセージ220はパラメータの提案を含むことができ、MP1はそれを受け入れるか又は拒否することができる。上述のシナリオは一般的に、２つの異なるメッシュが合併するときに発生する可能性がある。MP1及びMP2はそれぞれ２つの独立したメッシュ(又はいくつかの同期プロファイルが共存する同じメッシュの部分)のうちの一つに属し、同期することを試みる。提案されたハンドシェイクが成功した場合、同期が両メッシュの他のピアMPに伝播されるかどうかは、本発明の範囲を超えている。MP1とMP2の２つのうち、新たなパラメータを採用した方は、他のピアと確立されたリンクに説明されたハンドシェイクを使用することによって、そのようにする。
【００３３】
一般に、以下のルールが適用される。
【００３４】
同期リクエストメッセージ210がMP1の空でないプロファイルを含み、そしてMP2が他のピアと同期していない場合、MP2はその空でないプロファイルを受け入れる。
【００３５】
同期リクエストメッセージ210がMP1の空でないプロファイルを含み、そしてMP2が他のピアと同期している場合、MP2は、MP1の空でないプロファイルを受け入れるか、MP1の空でないプロファイルを拒否するか、又は、それ自身の空でないプロファイルを提案することができる。
【００３６】
同期リクエストメッセージ210がMP1の空のプロファイルを含み、そしてMP2が他のピアと同期している場合、MP2は、メッセージ220において、その現在の空でないプロファイルをMP1に提案する。
【００３７】
同期リクエストメッセージ210がMP1の空のプロファイルを含み、そしてMP2が他のピアと同期していない場合、MP2は、メッセージ220において、その現在の空でないプロファイルをMP1に提案する。
【００３８】
第１及び第３の状況は、MP1又はMP2のうちの一方が同期メッシュに加わったばかりである状況にしばしば対応する。そのような場合、同期は、メッシュに参加したノードによって、又は同期メッシュのノードのうちの一つによって開始されることができることに留意すべきである。あるいは、第４の状況の様に、それらはさらに、ノードがその近傍のノードとのリンクを同期させることによってメッシュ中に同期を導入する状況に対応することができる。
【００３９】
第２の状況は、２つのメッシュが結合する場合に一般的に対応する。２つのメッシュは非同期リンクを介して合併することができ、すなわちMP1及びMP2のいずれも、２つのメッシュ間の新たなリンクを同期させることを試みない。あるいは、MP1又はMP2は、特定のプロファイルを伴う同期リクエストメッセージ210をそのピアに送信することによってリンクを同期させることを試みる。
【００４０】
しばしばMP2は、メッセージ210においてMP1の空でないプロファイルを受信するとき、それ自身のプロファイルとそれを比較する。少なくともそれは、それが競合するか又は一致するかどうかを確認する。プロファイルAだけがメッシュ300中に存在する典型的な状況が図3に示される。全てのMP310-340はそれらのそれぞれの近くのピアとの同期リンクを確立しており、全てが同期プロファイルAを共有する。(破線で示される)MP330と340との間のピアリンクだけが同期していない。MP330及び340は、図2を参照してすでに詳細に述べられたハンドシェイク交換を用いて同期を試みる。この状況において、MP340が（MP330がプロセスの起動側であると仮定する）、それ自身のプロファイルを変更することなくプロファイルを受け入れる。このようにしてメッシュ300の同期は成功する。
【００４１】
他の状況が図4に示され、ここでは、MP410-430が同じプロファイルAを共有し、そしてMP440-460が、プロファイルAと互換性のない同じプロファイルBを共有する。MP410-460は全て同じメッシュに属するか、又は２つの異なるメッシュに属する場合がある。MP430及び460は同期することを試み、この目的のために、MP430がプロセスを開始して、メッセージ210においてそのプロファイルを送信する。MP460は、受信されたMP430のプロファイルを確認し、それが自身のプロファイルと一致せずに競合することを認識する。MP460は、それ自身のプロファイルを変更することなくプロファイルを受け入れることはできない。
【００４２】
MP 460がその現在のプロファイルと競合するプロファイルを受け入れることを決定する場合、MP 460は、その1ビットステータス情報要素を0に設定し、その近くのピア(例えばMP450)にそれらと同期しないことを知らせる。ピアMPは、それらの同期プロファイルと関連したパラメータを更新するときに、一時的にMP460を無視する。それからMP460は、異なる競合する同期プロファイル(この実施の形態ではプロファイルB)によるピアリンクを確立していたそのピアMPに、同期リクエストメッセージ210を送信することができる。MP460は、それ自身のリンクのプロファイル(すなわちプロファイルA)と競合しない、この既存のリンクのための新たな同期プロファイルについて交渉する。取り決められたプロファイルは、リンクが同期していないことを示すために、空のプロファイルであることができる。この「再」同期はさらに、同期に依存するMP間の他の同意の解体を示す。これの例は、これらの２つのMPの間に存在していた可能性がある(802.11sのドラフトバージョンD1.03においてMDAOPと称される)データ通信のための予約タイムスロットによって提供される。MP460がそのピア近傍MPのうちの少なくとも一つとの同期に達するとすぐに、ピアMPと同期していることを通知するために、そのステータス情報要素を１に設定する。
【００４３】
他の実施例において、所与のプロファイルを強制するように、提案されるプロファイルに優先度を関連づけるために、同期リクエストメッセージ210中に優先度値がさらに含まれることができる。
【００４４】
さらに、同期リクエストメッセージ210を能動的に送信することに代えて、MP1は、放送フレーム(例えばビーコン)中にリクエストビットを設定することができ、そしてリクエストビットは、近傍のMPに同期プロファイルをコピーすることを強制することができる。
【図１】
0005421906.tif 000002
【図２】
0005421906.tif 000003
【図３】
0005421906.tif 000004
【図４】
0005421906.tif 000005